【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
懸濁物質の凝集・沈降剤を用い、廃水や取水等の中から懸濁物質を凝集沈降させて取り除くための水中の懸濁物質の除去処理方法であって、
少なくとも前記水中に、粒径が５０μｍ以上の金属粉又は砂の少なくともいずれかを含む、粒径が５０μｍ以上の粗大な懸濁物質が、２５０ｍｇ／Ｌ以上、８００００ｍｇ／Ｌ以下存在し、且つ、粒径が５０μｍに満たない微細な懸濁物質濃度に対する前記粗大な懸濁物質濃度の比（粗／微）が質量比で２．０以上である、粗大な懸濁物質と微細な懸濁物質とが併存する、流速が０．５ｍ／秒以上で、乱流状態である水の中に、前記凝集・沈降剤として有機凝集剤が共存する状態を生じさせることで、前記粗大な懸濁物質と前記微細な懸濁物質とを同一の処理で凝集沈降させ、これらの懸濁物質を同時に除去することを特徴とする水中の懸濁物質の除去処理方法。
【請求項２】
前記水中における粗大な懸濁物質の存在量が、２０００ｍｇ／Ｌ以上、２００００ｍｇ／Ｌ以下である請求項１に記載の水中の懸濁物質の除去処理方法。
【請求項３】
懸濁物質の凝集・沈降剤を用い、廃水や取水等の中から懸濁物質を凝集沈降させて取り除くための水中の懸濁物質の除去処理方法であって、
上記凝集・沈降剤として少なくとも１種の有機凝集剤を用い、該有機凝集剤が、下記一般式（１）、下記一般式（２）で表されるモノマーのいずれか一方又は両方を必須成分として５モル％以上含む原料モノマーから誘導されたカチオン性又は両性の共重合体を主成分としてなり、該共重合体の重量平均分子量（Ｍｗ）に、ｐＨ７におけるカチオンコロイド当量（ＣＥ）の２乗を乗じた値を、更に１００万で除した値をＮとした場合に、Ｎ値が５〜６０であり、
少なくとも、粒径が５０μｍ以上の金属粉又は砂の少なくともいずれかを含む、粒径が５０μｍ以上の粗大な懸濁物質と、粒径が５０μｍに満たない微細な懸濁物質とが併存し、流速が０．５ｍ／秒以上で、乱流状態の水の中に、前記有機凝集剤が共存する状態を生じさせることで、前記粗大な懸濁物質と前記微細な懸濁物質とを同一の処理で凝集沈降させ、これらの懸濁物質を同時に除去することを特徴とする水中の懸濁物質の除去処理方法。
2016013540.tif 000001
2016013540.tif 000002
（上記式中の、Ｒ1、Ｒ2は、それぞれ独立にＣＨ3又はＣ2Ｈ5を表し、Ｒ3は、Ｈ、ＣＨ3又はＣ2Ｈ5のいずれかを表す。Ｘ-は、アニオン性対イオンを表す。）
【請求項４】
更に、重量平均分子量が２００万〜１３００万で、且つ、ｐＨ７におけるカチオンコロイド当量が０．７〜４．１ｍｅｑ／ｇである請求項３に記載の水中の懸濁物質の除去処理方法。
【請求項５】
懸濁物質の凝集・沈降剤を用い、廃水や取水等の中から懸濁物質を凝集沈降させて取り除くための水中の懸濁物質の除去処理方法であって、
上記凝集・沈降剤として少なくとも１種の有機凝集剤を用い、該有機凝集剤が、下記一般式（１）、下記一般式（２）で表されるモノマーのいずれか一方又は両方を必須成分として５モル％以上含む原料モノマーから誘導されたカチオン性又は両性の共重合体を主成分としてなり、該共重合体の重量平均分子量（Ｍｗ）に、ｐＨ７におけるカチオンコロイド当量（ＣＥ）の２乗を乗じた値を、更に１００万で除した値をＮとした場合に、Ｎ値が５〜６０であり、且つ、該共重合体の重量平均分子量（Ｍｗ）を、そのｐＨ７におけるカチオンコロイド当量（ＣＥ）で除した値を、更に１００万で除した値をＬとした場合に、Ｌ値が１．５以上であり、
少なくとも、粒径が５０μｍ以上の金属粉又は砂の少なくともいずれかを含む、粒径が５０μｍ以上の粗大な懸濁物質と、粒径が５０μｍに満たない微細な懸濁物質とが併存し、流速が０．５ｍ／秒以上で、乱流状態の水の中に、前記有機凝集剤が共存する状態を生じさせることで、前記粗大な懸濁物質と前記微細な懸濁物質とを同一の処理で凝集沈降させ、これらの懸濁物質を同時に除去することを特徴とする水中の懸濁物質の除去処理方法。
2016013540.tif 000003
2016013540.tif 000004
（上記式中の、Ｒ1、Ｒ2は、それぞれ独立にＣＨ3又はＣ2Ｈ5を表し、Ｒ3は、Ｈ、ＣＨ3又はＣ2Ｈ5のいずれかを表す。Ｘ-は、アニオン性対イオンを表す。）
【請求項６】
更に、重量平均分子量が５００万〜１１００万で、且つ、ｐＨ７におけるカチオンコロイド当量が１．２〜３．４ｍｅｑ／ｇである請求項５に記載の水中の懸濁物質の除去処理方法。
【請求項７】
前記有機凝集剤を、前記粗大な懸濁物質と前記微細な懸濁物質とが併存している、流速が０．５ｍ／秒以上で、且つ、乱流状態である水中に添加することで、前記粗大な懸濁物質と前記微細な懸濁物質とが併存し、流速が０．５ｍ／秒以上で、乱流状態の水の中に前記有機凝集剤が共存する状態を生じさせる請求項３〜６のいずれか１項に記載の水中の懸濁物質の除去処理方法。
【請求項８】
前記水が、製鐵所において発生する廃水であり、
前記有機凝集剤を廃水に添加する位置が、前記粗大な懸濁物質と前記微細な懸濁物質とが併存している廃水が発生する地点から水処理設備の入口付近に至るまでのいずれかの地点である請求項７に記載の水中の懸濁物質の除去処理方法。
【請求項９】
前記水が、製鐵所において発生する廃水であり、
前記粗大な懸濁物質と前記微細な懸濁物質とが併存した廃水になる前の用水に予め前記有機凝集剤を添加しておき、更にこの水を使用することで、前記粗大な懸濁物質と前記微細な懸濁物質とが併存し、流速が０．５ｍ／秒以上で、乱流状態の水の中に前記有機凝集剤が共存する状態を生じさせる請求項３〜６のいずれか１項に記載の水中の懸濁物質の除去処理方法。
【請求項１０】
前記水が、製鐵所において発生する廃水であり、
前記粗大な懸濁物質と前記微細な懸濁物質とが併存した廃水になる前の用水が、前記粗大な懸濁物質と前記微細な懸濁物質とを、前記有機凝集剤の存在下、同一の処理で凝集沈降させて、これらを同時に除去処理した後に得られる処理水であり、該処理水を循環使用する系で、前記した予め行う有機凝集剤の添加を、その使用基準を満たすまでに用水の処理がなされた地点から、該用水を使用する給水地点に至るまでのいずれかの地点で行う請求項９に記載の水中の懸濁物質の除去処理方法。
【請求項１１】
前記水が、水中に前記粗大な懸濁物質をほとんど含まない水である場合に、該水に予め粒径が５０μｍ以上の金属粉又は砂の少なくともいずれかを含む、粒径が５０μｍ以上の粗大な懸濁物質を添加して、該粗大な懸濁物質の存在量が２５０ｍｇ／Ｌ以上、８００００ｍｇ／Ｌ以下となるようにすることで、前記の、粗大な懸濁物質と微細な懸濁物質とが併存する状態とした水である請求項３〜７のいずれか１項に記載の水中の懸濁物質の除去処理方法。
【請求項１２】
前記粗大な懸濁物質と前記微細な懸濁物質の併存状態が、微細な懸濁物質濃度に対する粗大な懸濁物質濃度の比（粗／微）が、その質量比で２．０以上である請求項３〜１１のいずれか１項に記載の水中の懸濁物質の除去処理方法。
【請求項１３】
前記乱流状態の水のレイノルズ数が、８０００以上である請求項１〜１２のいずれか１項に記載の水中の懸濁物質の除去処理方法。
【請求項１４】
前記水中の懸濁物質が、水砕スラグ、小石、泥、不溶性有機物、石炭粉又はコークス粉の少なくともいずれかを含む請求項１〜１３のいずれか１項に記載の水中の懸濁物質の除去処理方法。
【請求項１５】
前記水中に、更に油分が併存している請求項１４に記載の水中の懸濁物質の除去処理方法。
【請求項１６】
前記粗大な懸濁物質と前記微細な懸濁物質とを同一の処理で凝集沈降させた後に、更に凝集沈降した沈殿物を除去する請求項１〜１５のいずれか１項に記載の水中の懸濁物質の除去処理方法。